(57)【要約】【課題】包装容器側面のプラスチック層との摩擦を低減し、円滑な搬送を確保するガイド及びその製造法を提供すること。【解決手段】紙包装容器用搬送路のガイド３は、外面にプラスチック層を有する紙包装容器を搬送する搬送路に設けられるガイドであって、搬送路の側方に、紙包装容器が搬送される方向に沿って設けられ、紙包装容器の器壁と接触し、円形の断面形状を有し、芯体３ａと外側体３ｂとからなり、外側体が芯体を全体的に被って、搬送される紙包装容器の器壁面と接触し、芯体がガイドの機械的強度を維持すると共に外側体を支持し、外側体が超高分子量ポリエチレンからなる。【選択図】図１
2014156343.tif 000002
【特許請求の範囲】
【請求項１】
外面にプラスチック層を有する紙包装容器を搬送する搬送路に設けられるガイドであって、該搬送路の側方、下方、若しくは、上方に、該紙包装容器が搬送される方向に沿って、連続的若しくは間欠的に、又は、部分的に設けられ、該紙包装容器の器壁と連続的に若しくは間欠的に接触し、円形、楕円、又は矩形、三角形若しくは多角形の断面形状を有し、芯体と外側体とからなり、該外側体が該芯体を全体的に被って、搬送される該紙包装容器の該器壁面と接触し、該芯体がガイドの機械的強度を維持すると共に該外側体を支持し、該外側体が超高分子量ポリエチレンからなる、
ことを特徴とする紙包装容器用搬送路のガイド。
【請求項２】
該芯体がステンレス製のパイプである、請求項１記載の紙包装容器用搬送路のガイド。
【請求項３】
外面にプラスチック層を有する紙包装容器を搬送する搬送路に設けられるガイドの製造法であって、該搬送路の側方、下方、若しくは、上方に、該紙包装容器が搬送される方向に沿って、連続的若しくは間欠的に、又は、部分的に設けられ、該紙包装容器の器壁と連続的に若しくは間欠的に接触し、円形、楕円、又は矩形、三角形若しくは多角形の断面形状を有し、芯体と外側体とからなり、該外側体が中空形状を有して該芯体を全体的に被って、搬送される該紙包装容器の該器壁面と接触し、該芯体が該ガイドの機械的強度を維持すると共に該外側体を支持し、該外側体が超高分子量ポリエチレンからなる該ガイドの製造法において、該芯体の断面形状に嵌合し、該芯体の外径よりも少し狭い内径を有する該外側体を準備し、該外側体を温めて膨張させて該外側体の内径を広げ、該外側体の中空に該芯体を嵌挿し、該外側体を冷却して該外側体の内面と該芯体の外面とを密着させる、
ことを特徴とする紙包装容器用搬送路のガイドの製造法。
【発明の詳細な説明】
【技術分野】
【０００１】本発明は、ポリエチレン樹脂で最外層及び最内層で積層された紙主体包装材料で成形された紙包装容器を搬送する搬送路に設けられるガイドに関する。
【背景技術】
【０００２】柔軟性に富んだ紙製包装材料は多年にわたって液体食品を包装するために用いられてきた。牛乳、果汁ジュース、野菜ジュース、豆乳、ワイン、清酒、焼酎、ミネラルウォーター、スープ及びその他飲料のための包装容器は、例えば、繊維質基材（例えば、紙など）／プラスチック積層体に折目線が付けられたウェブ状包装材料を、その長手方向の縦線シールによりチューブ状に成形し、チューブ状に成形された包装材料内に液体食品を充填し、チューブ状包装材料を横断方向に横線シールし、枕状の包装体（一次形状容器）に成形する。
枕状の包装体を横シール部分で容器１個分ごとに切断し、最終成形工程で、折目線に沿って山折り若しくは谷折に、フィン及びフラップを折畳んで、図１に示すレンガ状の容器が成形される。【０００３】紙包装容器に用いられる包装材料は、少なくとも、紙基材、及び紙基材の両面にポリエチレンが積層された可撓性の積層体から成り、必要に応じて、紙基材とポリエチレンとの間にアルミニウム箔などのバリア層が形成され、包装容器の表面に相当する部分に模様や文字が印刷される。
成形され得られたレンガ状、円筒状、６角柱状、８角柱状の紙包装容器は、ベルトコンベアなどの搬送路を経て、一時的に集積するアキュムレータ、一定個数毎に分配する分配装置、段ボール箱に詰めるパッカーなどに搬送される。【０００４】ベルトコンベアなどの搬送路では、紙包装容器が搬送路から外に出ないように、転倒しないように、曲がった搬送路をスムーズに移動するように、ガイド板、ガイドレールなどのガイドが設けられている。
従来の紙包装容器搬送用コンベアの両側に付いているコンベアガイド、ガイドレールでは、φ１５ｍｍのみがきステンレスパイプ製である。概ね、搬送中にパックが倒れたり回転することを防いでいる。【０００５】ベルトコンベアなどの搬送路では、押し寄せる紙包装容器の圧力等により、ガイドレールとの摩擦が大きくなり、紙包装容器側面を強くこすり、傷つけることがある。
摩擦を低減するために、ステンレスパイプ表面にＰＴＦＥ（四フッ化エチレン樹脂）コーティングを施すことができる。しかし、このコーティングは非常に高価であり、しかも傷付きが直らないこともある。更に、紙包装容器と接触するガイドレール部分のみに、ＰＴＦＥ粘着テープを張ることもできる。しかしながら、このテープは安価で効果もあるが、耐久性がない。【０００６】ＰＴＦＥ（四フッ化エチレン樹脂）以外に、被搬送材料が接触する外面は、種々の材料が提案されている。例えば、紙粉等の異物が付着し難いゴム状弾性体（超高分子量ポリエチレンパウダーを含む）のロール、外周面に架橋樹脂（超高分子量ポリエチレン粉末含有）の表面層が形成されてなローラなどがある。（例えば、特許文献１及び２参照）
【先行技術文献】
【特許文献】
【０００７】
【特許文献１】特開平０７ー２０１５９７号公報
【特許文献２】特開２００６ー１７７４６８号公報
【発明の概要】
【発明が解決しようとする課題】
【０００８】ベルトコンベアなどの搬送路のガイドの外面に、紙包装容器の搬送中、絶えず、紙包装容器の側面が接触する。特に、包装容器側面のプラスチック層が摩擦し、プラスチック屑が付着することもある。これらプラスチックとの複合物が更に摩擦度を高める。円滑な搬送を阻害し、紙包装容器が搬送路で転倒したり、回転したり、場合によっては、外に落下する恐れがある。
本発明の目的は、包装容器側面のプラスチック層との摩擦を低減し、円滑な搬送を確保するガイド及びその製造法を提供することである。
【課題を解決するための手段】
【０００９】本発明の紙包装容器用搬送路のガイドは、外面にプラスチック層を有する紙包装容器を搬送する搬送路に設けられるガイドであって、搬送路の側方、下方、若しくは、上方に、紙包装容器が搬送される方向に沿って、連続的若しくは間欠的に、又は、部分的に設けられ、紙包装容器の器壁と連続的に若しくは間欠的に接触し、円形、楕円、又は矩形、三角形若しくは多角形の断面形状を有し、芯体と外側体とからなり、外側体が芯体を全体的に被って、搬送される紙包装容器の器壁面と接触し、芯体がガイドの機械的強度を維持すると共に外側体を支持し、外側体が超高分子量ポリエチレンからなる、
ことを特徴とする。【００１０】この発明の好ましい態様において、芯体がステンレス製のパイプである。【００１１】この発明の紙包装容器用搬送路のガイドの製造法は、外面にプラスチック層を有する紙包装容器を搬送する搬送路に設けられるガイドの製造法であって、搬送路の側方、下方、若しくは、上方に、紙包装容器が搬送される方向に沿って、連続的若しくは間欠的に、又は、部分的に設けられ、紙包装容器の器壁と連続的に若しくは間欠的に接触し、円形、楕円、又は矩形、三角形若しくは多角形の断面形状を有し、芯体と外側体とからなり、外側体が中空形状を有して芯体を全体的に被って、搬送される紙包装容器の器壁面と接触し、芯体がガイドの機械的強度を維持すると共に外側体を支持し、外側体が超高分子量ポリエチレンからなるガイドの製造法において、芯体の断面形状に嵌合し、芯体の外径よりも少し狭い内径を有する外側体を準備し、外側体を温めて膨張させて外側体の内径を広げ、外側体の中空に芯体を嵌挿し、外側体を冷却して外側体の内面と芯体の外面とを密着させる、ことを特徴とする。
【発明の効果】
【００１２】上記構成の本発明によれば、以下の作用機能を発揮し、有利な効果が得られる。
本発明の紙包装容器用搬送路のガイドは、外面にプラスチック層を有する紙包装容器を搬送する搬送路に設けられるガイドである。
牛乳、果汁ジュース、野菜ジュース、豆乳、ワイン、清酒、焼酎、ミネラルウォーター、スープ及びその他飲料が充填された紙包装容器は、包装充填装置から、高速に多数個、連続的に製造される。これらの紙包装容器を、ベルトコンベアなどの搬送路で次の工程に搬送する。
この発明におけるガイドは、この搬送路に設けられる。このガイドによって、紙包装容器が搬送路から外に出ないように保護し、容器が搬送路で転倒しないように保持し、曲がった搬送路を容器がスムーズに連続的に移動するようする。【００１３】本発明の紙包装容器用搬送路のガイドは、搬送路の側方、下方、若しくは、上方に、紙包装容器が搬送される方向に沿って、連続的若しくは間欠的に、又は、部分的に設けられる。
高速に多数個、連続的に搬送される紙包装容器は、ベルトコンベアなどの搬送路上で、側方へ、下方へ、また上方に振動したり、また傾いたりする。そのような紙包装容器の姿勢をガイドがコントロールすることができる。【００１４】本発明の紙包装容器用搬送路のガイドは、紙包装容器の器壁と連続的に若しくは間欠的に接触し、円形、楕円、又は矩形、三角形若しくは多角形の断面形状を有する。
ガイドは、紙包装容器の器壁と連続的に若しくは間欠的に接触するので、その接触面を、その接触状況に応じて、ガイドの断面形状を適宜、選択することができ、例えば、円形、楕円、又は矩形、三角形若しくは多角形にすることができる。【００１５】本発明の紙包装容器用搬送路のガイドは、芯体と外側体とからなる。
外側体が中空形状であるので、外側体が芯体を全体的に被うことができる。
外側体は、ガイドの外側に位置し、搬送される紙包装容器の器壁面と接触する機能を備える。一方、芯体は、ガイドの機械的強度を維持すると共に外側体を支持する。
好ましい態様において、芯体は、芯体がステンレス製のパイプである。【００１６】本発明の紙包装容器用搬送路のガイドは、外側体が超高分子量ポリエチレンからなる。
超高分子量ポリエチレンは、自己潤滑性、低摩擦性及び非粘着性を有するので、包装容器側面のプラスチック層との摩擦を低減し、円滑な搬送を確保する。【００１７】この発明の紙包装容器用搬送路のガイドの製造法は、第１のステップとして、芯体の断面形状に嵌合し、芯体の外径よりも少し狭い内径を有する外側体を準備し、第２のステップとして、外側体を温めて膨張させて外側体の内径を広げ、第３のステップとして、外側体の中空に芯体を嵌挿し、第４のステップとして、外側体を冷却して外側体の内面と芯体の外面とを密着させる。
外側体が超高分子量ポリエチレンからなり、超高分子量ポリエチレンが熱可塑性であり、温めることによって、膨張する。この特性を利用して、ガイドの基本形状を芯体で規定しておくことにって、簡易に外側体を芯体に密着／嵌合させることができる。【００１８】上述のように、包装容器側面のプラスチック層との摩擦を低減し、円滑な搬送を確保するガイド及びその製造法を提供することができる。
【図面の簡単な説明】
【００１９】
【図１】この発明で使用することができるレンガ状包装容器が搬送路をガイドでコントロールされる様子を示す斜視図である。
【図２】この発明による実施例のガイドを示す横断面図である。
【図３】この発明による実施例のガイドを示す縦断面図である。
【発明を実施するための形態】
【００２０】以下、本発明の実施の形態について図面を参照しながら詳細に説明する。
この実施態様における、紙包装容器用搬送路のガイドは、図１に示すように、外面にプラスチック層を有する紙包装容器１を搬送する搬送路２に設けられるガイド３である。
紙包装容器１には、牛乳、果汁ジュース、野菜ジュース、豆乳、ワイン、清酒、焼酎、ミネラルウォーター、スープ及びその他飲料が充填されている。通常、包装充填装置から、高速に多数個、連続的に製造される。これらの紙包装容器を、図１に例示的に図示する、ベルトコンベアなどの搬送路２で下流側の工程に搬送する。
実施例のガイド３は、搬送路２に設けられる。ガイド３によって、紙包装容器１が搬送路２から外れないように保護し、容器が搬送路で転倒しないように保持し、曲がった搬送路である場合、容器１がスムーズに連続的に移動することができる。
【００２１】図１に例示的に図示する紙包装容器用搬送路のガイド３は、搬送路２の側方に、紙包装容器１が搬送される方向に沿って、連続的に設けられる。
高速に多数個、連続的に搬送される紙包装容器１は、ベルトコンベアなどの搬送路２上で、側方に振動したり、また傾いたりする。そのような紙包装容器の姿勢をガイド３がコントロールする。
【００２２】図１、２及び３に例示的に図示するガイド３は、紙包装容器の器壁と連続的に若しくは間欠的に接触し、円形の断面形状を有する。
ガイド３は、紙包装容器の器壁と連続的に若しくは間欠的に接触するので、その接触面を、丸みを持たせることで、容器へのダメージを最小に抑える。
【００２３】図２及び３に図示するように実施例の紙包装容器用搬送路のガイド３は、芯体３ａと外側体３ｂとからなる。
外側体３ｂが中空形状であるので、外側体３ｂが芯体３ａを全体的に被う。
外側体３ｂは、ガイド３の外側に位置し、搬送される紙包装容器の器壁面と接触する機能を備える。一方、芯体３ａは、ガイド３の機械的強度を維持すると共に外側体３ｂを支持する。
図２及び３に図示するように実施例の芯体３ａは、ステンレス製のパイプである。
【００２４】実施例の紙包装容器用搬送路のガイド３は、外側体３ｂが超高分子量ポリエチレン（ＵＨＰＥ、ＵＨＭＷＰＥ）からなる。
超高分子量ポリエチレンは、自己潤滑性、低摩擦性及び非粘着性を有するので、包装容器側面のプラスチック層との摩擦を低減し、円滑な搬送を確保する。具体的には、超高分子量ポリエチレンは、分子量を１００〜７００万まで高めたポリエチレンである。上述のように、その優れた機械特性を持つ。耐摩耗性では、炭素鋼や、黄銅などの金属よりも優れ、一般のポリエチレンに比べ、数倍から数十倍の耐摩耗性を有する。また、耐衝撃性では、他各種樹脂よりも耐衝撃性に優れ、極低温においてもこの特性を維持する。自己潤滑性を持ち、摩耗係数が小さく、金属表面を無潤滑で慴動させても焼き付きが起こらず、疎水性のため、水を含む鉱物などのスラリーが付着しない。耐薬品性では、耐薬品性に優れ、酸やアルカリにも高い安定性を示す。従って、食品安全性樹脂である。
【００２５】実施例の紙包装容器用搬送路のガイド３の製造法では、第１のステップとして、芯体３ａの断面形状に嵌合し、芯体の外径よりも少し狭い内径を有する外側体３ｂを準備する。次いで、第２のステップとして、外側体３ｂを温めて膨張させて外側体３ｂの内径を広げる。冷えないうちに、第３のステップとして、外側体３ｂの中空に芯体３ａを嵌挿する。最後に、第４のステップとして、外側体３ｂを冷却して外側体３ｂの内面と芯体３ａの外面とを密着させる。
上述に様に、外側体３ｂが超高分子量ポリエチレンからなり、超高分子量ポリエチレンが熱可塑性であり、温めることによって、膨張する。この特性を利用して、ガイドの基本形状を芯体で規定しておくことにって、簡易に外側体を芯体に密着／嵌合させる。
【００２６】上述の実施例で実証されるように、包装容器側面のプラスチック層との摩擦を低減し、円滑な搬送を確保するガイド及びその製造法を提供することができる。
【００２７】なお、本発明は前記実施の形態に限定されるものではなく、本発明の趣旨に基づいて種々変形させることが可能であり、それらを本発明の範囲から排除するものではない。
【産業上の利用可能性】
【００２８】この発明は、液体食品の包装充填の製造に適用することができる。
【符号の説明】
【００２９】１    紙包装容器
２    搬送路
３    ガイド
【図１】
2014156343.tif 000003
【図２】
2014156343.tif 000004
【図３】
2014156343.tif 000005